【事件の表示】
　特許第３２８４３２８号「毛染組成物」の請求項１〜１０に係る特許に対する特許異議の申立てについて、次のとおり決定する。
【結　論】
　訂正を認める。
　特許第３２８４３２８号の請求項１〜１０に係る特許を維持する。
【理　由】
１．手続きの経緯
　本件特許第３２８４３２８号は、平成６年８月２４日に特許出願（パリ条約による優先権主張、１９９３年８月２６日、米国）され、平成１４年３月８日に特許権の設定の登録がされた。これに対して、特許異議の申立てがされ、当審による取消理由通知の意見書提出の指定期間内である平成１５年４月２５日に、明細書の訂正請求がされた。
　
２．訂正請求について
（１）訂正の内容：
ｉ）訂正事項ａ
　請求項１、請求項５及び請求項７中の「線状の長鎖アルキル置換基を有する単量体状第四級アンモニウム化合物」を「線状の長鎖アルキル置換基を１個有する単量体状第四級アンモニウム化合物」に、「水不溶性アニオン性重合体」を「水不溶性アニオン性重合体、ここで水不溶性アニオン性重合体はアクリル重合体と長鎖脂肪族アルコールのポリアルキレングリコールエーテルとのエステルである、」と訂正する。
　
ii）訂正事項ｂ
　明細書の段落【００２７】中の「展開剤に使用して好ましい重合体は、アクリル重合体のエステル、及び長鎖脂肪アルコールのポリアルキレングリコールエーテル、例えばアクリル重合体のエステル及びステアリルアルコールのポリエチレングリコールエーテル例えば式ＣＨ3（ＣＨ2）16ＣＨ2（ＯＣＨ2ＣＨ2）n（式中、ｎは２０の平均値を有する）により示されるステアルエト-２０である。」を、「本発明で展開剤に使用される水不溶性アニオン性重合体は、これらのアクリル重合体と長鎖脂肪アルコールのポリアルキレングリコールエーテル、例えばアクリル重合体とステアリルアルコールのポリエチレングリコールエーテル例えば式ＣＨ3（ＣＨ2）16ＣＨ2（ＯＣＨ2ＣＨ2）nＯＨ（式中、ｎは２０の平均値を有する）により示されるステアルエト-２０、とのエステルである。」に訂正する。
（２）訂正の適否
ｉ）訂正事項ａについて
　訂正事項ａは請求項１、請求項５及び請求項７中の記載の訂正であって、「線状の長鎖アルキル置換基を有する単量体状第四級アンモニウム化合物」を「線状の長鎖アルキル置換基を１個有する単量体状第四級アンモニウム化合物」とする訂正は、明細書の段落【０００７】等の記載に基づいて第四級アンモニウム化合物を「一個の長鎖アルキル置換基を有する第四級アンモニウム化合物」に限定するものであり、また「水不溶性アニオン性重合体」を「水不溶性アニオン性重合体、ここで水不溶性アニオン性重合体はアクリル重合体と長鎖脂肪族アルコールのポリアルキレングリコールとのエステルである、」とする訂正は、明細書の段落【００２７】の記載に基づいて特定の水不溶性アニオン性重合体に限定するものであるから、いずれも特許請求の範囲の減縮を目的とする訂正であって、明細書に記載された事項の範囲内のものである。
　　
ii）訂正事項ｂについて
　訂正事項ｂは、明細書の段落【００２７】に記載された「ステアリルアルコールのポリエチレングリコールエーテル」である「ステアルエト-２０」の化学式中の明白な誤記を訂正し、さらに「水不溶性アニオン性重合体」としてこれに該当しないことが明らかな「長鎖脂肪族アルコールのポリアルキレングリコールエーテル」を例示する等の不明りょうな表現を含んでいた記載を訂正するものであるので、誤記の訂正及び明りょうでない記載の釈明を目的とする訂正であって、明細書に記載された事項の範囲内の訂正である。
　
iii）そして、訂正事項ａ及び訂正事項ｂは、いずれも実質上特許請求の範囲の記載を拡張し、又は変更するものではない。
　
iv）したがって、本件訂正は特許法第１２０条の４第２項並びに同条第３項で準用する同法第１２６条第２項及び第３項の規定に適合するので、訂正を認める。
　
２．特許異議の申立てについて
（１）本件発明　
　上記２．に示したように本件訂正は認められるから、本件特許の請求項１〜１０に係る発明の要旨は、訂正明細書の特許請求の範囲の請求項１〜１０に記載されたとおりのものであり、そのうち他の請求項を引用していない請求項１、請求項５及び請求項７の記載は、以下のとおりである。
　
【請求項１】　ａ）０．００５重量％−５重量％の少なくとも１種の一次中間体及び酸化染料の形成のための少なくとも１種のカプラー、０．１％−５％の線状の長鎖アルキル置換基を１個有する単量体状第四級アンモニウム化合物、０．５重量％−１５重量％の両性界面活性剤及び少なくとも７０重量％の水を含む７−１１のｐＨを有するアルカリ性水性ローション、並びに　
ｂ）０．５重量％−４０重量％の過酸化酸化剤及び該アルカリ性水性ローションと混合されたとき溶解してゲルを形成する０．１重量％−２０重量％の水不溶性アニオン性重合体、ここで水不溶性アニオン性重合体はアクリル重合体と長鎖脂肪族アルコールのポリアルキレングリコールとのエステルである、を含む２−６のｐＨを有する水性展開剤を含む二つの部分を混合してゲルを形成するヒトの毛染のための二つの部分の水性組成物。
　
【請求項５】　ａ）０．００５重量％−５重量％の少なくとも１種の一次中間体及び酸化染料の形成のための少なくとも１種のカプラー、０．１％−５％の線状の長鎖アルキル置換基を１個有する単量体状第四級アンモニウム化合物、０．５重量％−１５重量％の両性界面活性剤及び少なくとも７０重量％の水を含む７−１１のｐＨを有するアルカリ性水性ローションを含む第一の容器、並びに
ｂ）０．５重量％−４０重量％の過酸化酸化剤及び０．１重量％−２０重量％の該アルカリ性水性ローションと混合されたとき溶解してゲルを形成する水不溶性アニオン性重合体、ここで水不溶性アニオン性重合体はアクリル重合体と長鎖脂肪族アルコールのポリアルキレングリコールとのエステルである、を含む２−６のｐＨを有する水性展開剤を含む第二の容器である第一及び第二の容器を含むヒトの毛染の二つの部分を混合してゲルを形成する二つの部分の水性組成物を含むキット。
　　
【請求項７】　ａ）０．００５重量％−５重量％の少なくとも１種の一次中間体及び酸化染料の形成のための少なくとも１種のカプラー、０．１％−５％の線状の長鎖アルキル置換基を１個有する単量体状第四級アンモニウム化合物、０．５重量％−１５重量％の両性界面活性剤及び少なくとも７０重量％の水を含む７−１１のｐＨを有するアルカリ性水性ローション、並びに　
ｂ）０．５重量％−４０重量％の過酸化酸化剤及び０．１重量％−２０重量％の該アルカリ性水性ローションと混合されたとき溶解してゲルを形成する水不溶性アニオン性重合体、ここで水不溶性アニオン性重合体はアクリル重合体と長鎖脂肪族アルコールのポリアルキレングリコールとのエステルである、を含む２−６のｐＨを有する水性展開剤を含む二つの部分を混合してゲルを形成する二つの部分の水性組成物の混合物を毛と接触させ、そしてその接触を毛が永久的に染められるまで維持することを含むヒトの毛染方法。
　
（２）引用刊行物　
　甲第３号証：国際公開第９２／０１４３８号パンフレット
（Ａ−１）流動性の水性酸化染料製剤（Ａ）及び流動性の水性酸化剤製剤（Ｂ）からなる染髪製剤であって、（Ｂ）成分が分散したアクリル酸及び／又はメタクリル酸ポリマー又はコポリマーを含有している製剤が記載されている。（請求項１、２及び実施例）
（Ａ−２）酸化染料製剤（Ａ）は、適当な添加剤を含有し得ることが記載され、石鹸と相溶性のカチオン界面活性剤が例示されている。（５頁）
　
　甲第２号証：特開昭５２−９６７４９号公報
 （Ｂ−１）酸化剤及び第四級アンモニウム塩が配合されている毛髪染色組成物が記載されている。（請求項１）
（Ｂ−２）該組成物は、通常２つの部分に分けて調整されるものであり、第１部（基剤部分）に酸化染料中間体が含有されること、第２部に酸化剤を含有することが記載されている。（３頁左上欄）
（Ｂ−３）第四級アンモニウム塩はある種の大きな陰イオン性の基によって不活性化されることがあるので、これらの基を有する添加剤は避けるべきであることが記載されている。（６頁左下欄）
（Ｂ−４）第四級アンモニウム塩を配合した基材処方例が記載され、基材処方に使用直前に過酸化水素水溶液と混合されることが記載されている。（８頁左下欄〜９頁左上欄）
　
（３）対比・判断
　特許異議申立人が提出した甲第１号証（特表平５−５０８６４４号公報）は、本件優先日以降に頒布された刊行物であるので、特許法第２９条第２項に係る特許異議申立ての証拠として採用できない。
　
ａ．請求項１に係る発明について
　請求項１に係る発明（以下、本件発明という。）と甲第３号証に記載された発明を対比すると、いずれも酸化染料製剤である第１剤と酸化剤である第２剤からなる毛染組成物であって、第２剤中に「水不溶性のアニオン性ポリマー成分」を含有する点で一致しているが、本件発明では、第１剤中に「線状の長鎖アルキル置換基を１個有する単量体状第四級アンモニウム化合物を含有する」点（相違点１）及び第２剤中のポリマーが本件発明では「アクリル重合体と長鎖脂肪族アルコールのポリアルキレングリコールとのエステル」であるのに対し甲第３号証では「アクリル酸及び／又はメタクリル酸ポリマー又はコポリマー」である点（相違点２）で少なくとも相違している。
　
　相違点１に関し甲第３号証には任意添加成分として「石鹸と相溶性のカチオン界面活性剤」が例示されているものの、それ以上の具体的な記載はない。一方、甲第２号証には、２部式の酸化染毛剤において第１剤に第四級アンモニウム塩を添加したものが記載されているが、第２成分は単なる過酸化水素水溶液であり、「第四級アンモニウム塩はある種の大きな陰イオン性の基によって不活性化されることがあるので、これらの基を有する添加剤は避けるべきである」（Ｂ−３）とされているのであるから、甲第２号証の基材部分と「大きな陰イオン性の基」である「水不溶性アニオン性ポリマー成分」を含有する甲第３号証の（Ｂ）成分を組み合わせることを当業者が想到し得るということはできない。
　
　相違点２については、甲第３号証には「アクリル酸及び／又はメタクリル酸ポリマー又はコポリマー」に代えて「アクリル重合体と長鎖脂肪族アルコールのポリアルキレングリコールエーテルとのエステル」を使用することを示唆する記載はなく、一般に毛染組成物においてこれらが相互に同等の成分であるともいえない。
　
　そうすると、甲第３号証及び甲第２号証の記載から、第１剤中に「線状の長鎖アルキル置換基を１個有する単量体状第四級アンモニウム化合物」を含み、第２剤中に「アクリル重合体と長鎖脂肪族アルコールのポリアルキレングリコールエーテルとのエステル」を含む本件発明の毛染組成物を当業者が容易に発明できたものとは認められない。
　
ｂ．請求項２〜４、請求項５〜６、請求項７〜１０に係る発明について
　請求項２〜４に係る発明は、請求項１に係る組成物の構成をさらに限定したものであり、請求項５〜６に係る発明は、請求項１に係る組成物を含むキットであり、請求項７〜１０に係る発明は、請求項１に係る組成物を使用するヒトの毛染方法に係るものであるから、上記ａに記載した理由と同様に、甲第３号証及び甲第２号証に記載された発明から当業者が容易に発明できたものとは認められない。　
　
４．むすび
　以上のとおりであるから、特許異議申立ての理由及び証拠によっては、本件の請求項１〜１０に係る発明についての特許を取り消すことができない。
　よって、結論のとおり決定する。
【異議決定日】
平成１５年１１月２１日（２００３．１１．２１）
【訂正の要旨】
審決（決定）の【理由】欄参照。
（５４）【発明の名称】
毛染組成物
（５７）【特許請求の範囲】
　【請求項１】　ａ）０．００５重量％−５重量％の少なくとも１種の一次中間体及び酸化染料の形成のための少なくとも１種のカプラー、０．１％−５％の線状の長鎖アルキル置換基を１個有する単量体状第四級アンモニウム化合物、０．５重量％−１５重量％の両性界面活性剤及び少なくとも７０重量％の水を含む７−１１のｐＨを有するアルカリ性水性ローション、並びに
　ｂ）０．５重量％−４０重量％の過酸化酸化剤及び該アルカリ性水性ローションと混合されたとき溶解してゲルを形成する０．１重量％−２０重量％の水不溶性アニオン性重合体、ここで水不溶性アニオン性重合体はアクリル重合体と長鎖脂肪族アルコールのポリアルキレングリコールエーテルとのエステルである、を含む２−６のｐＨを有する水性展開剤
を含む二つの部分を混合してゲルを形成するヒトの毛染のための二つの部分の水性組成物。
　【請求項２】　ａ）ローションのｐＨが７．５−９．５であり、一次中間体及びカプラーの含量が０．００５重量％−２．５重量％であり、第四級アンモニウム化合物の含量が０．５重量％−２．０重量％であり、両性界面活性剤の含量が２重量％−８重量％であり、そして水の含量が少なくとも７０重量％であり、さらに
　ｂ）水性展開剤のｐＨが２．５−４．５であり、過酸化酸化剤の含量が０．５重量％−３０重量％であり、そしてアニオン性重合体含量が０．５重量％−１０重量％である
請求項１の組成物。
　【請求項３】　展開剤が０．５重量％−１２重量％の過酸化水素を含む請求項１の組成物。
　【請求項４】　展開剤が０．５重量％−１２重量％の過酸化水素を含む請求項２の組成物。
　【請求項５】　ａ）０．００５重量％−５重量％の少なくとも１種の一次中間体及び酸化染料の形成のための少なくとも１種のカプラー、０．１％−５％の線状の長鎖アルキル置換基を１個有する単量体状第四級アンモニウム化合物、０．５重量％−１５重量％の両性界面活性剤及び少なくとも７０重量％の水を含む７−１１のｐＨを有するアルカリ性水性ローションを含む第一の容器、並びに
　ｂ）０．５重量％−４０重量％の過酸化酸化剤及び０．１重量％−２０重量％の該アルカリ性水性ローションと混合されたとき溶解してゲルを形成する水不溶性アニオン性重合体、ここで水不溶性アニオン性重合体はアクリル重合体と長鎖脂肪族アルコールのポリアルキレングリコールエーテルとのエステルである、を含む２−６のｐＨを有する水性展開剤を含む第二の容器
である第一及び第二の容器を含むヒトの毛染の二つの部分を混合してゲルを形成する二つの部分の水性組成物を含むキット。
　【請求項６】　ａ）ローションのｐＨが７．５−９．５であり、一次中間体及びカプラーの含量が０．００５重量％−２．５重量％であり、第四級アンモニウム化合物の含量が０．５重量％−２．０重量％であり、両性界面活性剤の含量が２重量％−８重量％であり、そして水の含量が少なくとも７０重量％であり、さらに
　ｂ）水性展開剤のｐＨが２．５−４．５であり、過酸化酸化剤の含量が０．５重量％−３０重量％であり、そしてアニオン性重合体含量が０．５重量％−１０重量％である
請求項５のキット。
　【請求項７】　ａ）０．００５重量％−５重量％の少なくとも１種の一次中間体及び酸化染料の形成のための少なくとも１種のカプラー、０．１％−５％の線状の長鎖アルキル置換基を１個有する単量体状第四級アンモニウム化合物、０．５重量％−１５重量％の両性界面活性剤及び少なくとも７０重量％の水を含む７−１１のｐＨを有するアルカリ性水性ローション、並びに
　ｂ）０．５重量％−４０重量％の過酸化酸化剤及び０．１重量％−２０重量％の該アルカリ性水性ローションと混合されたとき溶解してゲルを形成する水不溶性アニオン性重合体、ここで水不溶性アニオン性重合体はアクリル重合体と長鎖脂肪族アルコールのポリアルキレングリコールエーテルとのエステルである、を含む２−６のｐＨを有する水性展開剤
を含む二つの部分を混合してゲルを形成する二つの部分の水性組成物の混合物を毛と接触させ、そしてその接触を毛が永久的に染められるまで維持することを含むヒトの毛染方法。
　【請求項８】　ａ）ローションのｐＨが７．５−９．５であり、一次中間体及びカプラーの含量が０．００５重量％−２．５重量％であり、第四級アンモニウム化合物の含量が０．５重量％−２．０重量％であり、両性界面活性剤の含量が２重量％−８重量％であり、そして水の含量が少なくとも７０重量％であり、さらに
　ｂ）水性展開剤のｐＨが２．５−４．５であり、過酸化酸化剤の含量が０．５重量％−３０重量％であり、そしてアニオン性重合体含量が０．５重量％−１０重量％である
請求項７の方法。
　【請求項９】　展開剤が０．５重量％−１２重量％の過酸化水素を含む請求項７の方法。
　【請求項１０】　展開剤が０．５重量％−１２重量％の過酸化水素を含む請求項８の方法。
【発明の詳細な説明】
　【０００１】
　【産業上の利用分野】
　本発明は、酸化性の水性毛染組成物に関する。
　【０００２】
　【従来の技術】
　一次中間体及びカプラーを含むタイプの酸化染料がヒトの毛を染めるのに使用されるとき、やり方は、通常二つの部分の系の使用を含む。一つの部分は、酸化染料プレカーサーを含む種々の成分を含み、そして好適な酸化剤を含む展開剤処方である第二の部分と混合されるとき、ヒトの毛に適用される直前にゲルを形成するローションの処方である。展開剤は、通常酸化剤例えば過酸化水素を含み、その結果、毛の天然のメラミン顔料のあるものが、最初に破壊される。ローション中のプレカーサーは、毛のなかに浸透し、そして酸化されて所望の色を生ずる。この系は、一般に、５０％以上の有機溶媒及び界面活性剤を含み、そして所望の色を生ずるために比較的高いレベルの染料プレカーサーを要する。
　数種の条件は、酸化染料を使用するやり方が適切に働かせるのに重要である。これらは、以下のものを含む。
　１．処方は、かなりの貯蔵寿命を確実にするために安定でなければならない。
　２．ローション及び展開剤を混合することにより形成される組成物は、ブラッシの使用又は指によるかの何れかによる適用が毛の全体に通してしかもストレスなしに染料を容易に分布させ、そして発色期間中毛からの滴り又は流去が実質的に避けられるレオロジー的性質を有しなければならない。
　３．染料混合物は、毛に適用されたとき、毛の繊維への染料混合物からの染料プレカーサーの急速な拡散をしなければならない。
　４．混合物は、発色期間中その場に十分に留まっているほど厚いが、水により毛から容易に濯がれなければならない。
　５．混合物は、好ましくは、湿っているとき解くのが容易であり、乾燥しているとき滑らかに感じさらに容易に処理できるような条件に毛を置くコンディショニング剤を含まねばならない。
　６．ローション及び展開剤は、好ましくはしかし必要ではないが、混合を助けるために比較できる粘度を有しなければならない。
　７．染色効果は、早くなければならず、染色時間は好ましくは３０分以内である。
　【０００３】
　従来の永久的な毛染製品では、レオロジー的な性質は、一般に、高いレベルの界面活性剤及び有機溶媒を含む染料ローションの使用により達成されて、酸化剤の高度に水性の展開剤溶液との混合により、所望のゲル様のコンシステンシーを有する染料混合物を形成する薄いローションを提供する。このやり方の不利は、染料混合物が毛への染料プレカーサーの拡散を遅らせ勝ちな高いレベルの界面活性剤をなお含むことである。市販製品中の好ましい界面活性剤は、全くコンディショニングを提供しない非イオン性又はアニオン性の物質であった。ヒトの毛に対する好ましいコンディショナーは、優れたコンディショニングを提供するがアニオン性界面活性剤とともに使用できないカチオン性界面活性剤である。
　上記の所望の性質を有するが、同時に上記の問題を避ける酸化性毛染組成物を生成する多くの試みがあった。
　米国特許第３３０３２１３、３３３１７８１、３４３６１６７及び３８９１３８５号は、毛処理組成物に、特定の両性界面活性剤例えばＮ−（Ｎ１、Ｎ１−ジメチル−アミノプロピル）−Ｎ２−アルキル（脂肪族）アスパラギン（但し「脂肪族」部分は、タローの脂肪酸から由来する）を使用することを記載している。特許によれば、両性界面活性剤は、有機溶媒並びに任意の種々のカチオン性、アニオン性又は非イオン性の界面活性剤とともに使用できる。組成物中に第四級アンモニウム塩の使用の指摘はない。
　米国特許第４４０２７００号は、第四級アンモニウム化合物を含む毛染組成物を記述し、そして又組成物中の両性界面活性剤の可能な使用を示している。しかし、これらの組成物は、有機溶媒及び非イオン性界面活性剤の使用を必要とし、そして組成物中の水の量は、５０％より少ない。
　米国特許第４５３２１２７号は、酸化剤とともに酸化性染料を含む毛染組成物を記述している。組成物は、それぞれが約１０−２６個の炭素原子を有する２本の長鎖アルキル基を含む第四級アミン化合物の存在を必要とする。任意の種々の界面活性剤は、それらが高い水含量を有するが有機溶媒を含む組成物中に存在できる。特許のローションは、比較的多量の非イオン性界面活性剤の存在下ジ長鎖アルキル第四級アンモニウム化合物を含む。それらは、両性界面活性剤と組み合わさったモノ長鎖アルキル第四級アンモニウム化合物を含む比較のローションより優れているといわれている。この特許のローションは、高いレベルの界面活性剤を有する不利を蒙り、従って毛中への染料プレカーサーの早い拡散を阻害する。その上、ジ長鎖アルキル第四級アンモニウム化合物は、特にモノ長鎖アルキル第四級アンモニウム化合物と比べたとき、あまり生分解されない。開示された組成物は、アニオン性界面活性剤及びアニオン性重合体を有しない。
　【０００４】
　米国特許第４６６３１５８号は、少なくとも１種の第四級カチオン性重合体例えば商品名Ｃｌａｉｒｑｕａｔ−１で売られているポリ（メタクリルアミドプロピル）トリメチルアンモニウムクロリドとともに両性界面活性剤を含むヘアコンディショニング組成物を記述している。組成物は酸性である。
　米国特許第４５６３１８８号は、有機溶媒とともに任意の数種のタイプの界面活性剤を含む特定のパラフェニレンジアミン誘導体を含む毛染組成物を開示している。
　米国特許第５１３７５３８号は、特定のパラフェニレンジアミン及びＮ、Ｎ１ジフェニルアルキレンジアミンを含む酸化性毛染組成物を記述している。組成物は、酸性又はアルカリ性である。それらは、有機溶媒、並びにアニオン性、カチオン性、非イオン性又は両性界面活性剤を含む。
　【０００５】
　水溶性ポリアクリル酸重合体例えばＣＴＦＡ辞書で名前ポリアクリル酸又はカルボマーを知られているものの使用により、毛のローション／展開剤混合物を濃くすることは知られている。これらのシックナーがアルカリ性染料ローションに配合されるとき、それらは、水性の過酸化水素溶液と混合することの困難な濃いクリーム又はゲルを生ずる。その上、これらの水溶性重合体が水性の過酸化水素溶液中で安定でないことが観察された。
　米国再発行特許第３３７８６号は、高度の水性の組成物による急速な染色は、展開剤中の或るアクリレート共重合体例えばアクリレート／ステアレス−２０メタクリレート共重合体の使用により達成できることを教示している。これらの重合体は、展開剤がカラープレカーサーを含むアルカリ性ローションに加えられるときのみ、濃化効果を生ずる。アクリレート共重合体又は任意の他のアニオン性重合体の使用の不利は、それらが複合体化により第四級アンモニウムコンディショニング化合物を不活性化し勝ちであるということである。さらに、簡単な水性のアクリレート系を含む製品は、毛から濯ぐのが困難である。さらに、米国再発行特許第３３７８６号の特定のアニオン性共重合体を含むローション及び展開剤は、得られる混合物の粘度が容易にコントロールできないので、処方するのに困難であることを実験が示している。
　【０００６】
　【発明の概要】
　上記の問題を避け、同時に優れたレオロジー的性質を有する急速染色の永久的な毛染系を提供する安定な毛染組成物を提供するのが本発明の目的である。本発明の組成物は、発色段階の完了時に毛から容易に濯がれ、そして優れた条件の毛を残す。
　所望の毛染効果を達成するのに十分な期間毛の上に留まる適切な粘度を有するゲル化混合物に容易に形成できるローション及び展開剤を提供するのが、本発明の目的である。
　有機溶媒がなくさらに一般的に従来使用されてきたのより実質的に低い量の界面活性剤を含む二つの部分の組成物を提供するのが本発明のさらに他の目的である。
　【０００７】
　本発明は、ゲルを形成するのに使用する直前で互いに混合するための水性の酸化性の毛染組成物（ローション及び展開剤）を含む二つの部分の系を含む。ローションは、約７−１１のｐＨを有し、少なくとも約７０重量％の水含量を有し、さらに染色有効量の酸化性染料プレカーサー、両性界面活性剤及び約１０−２６個の炭素原子を含む１個の長鎖アルキル置換基を有する少なくとも１種の単量体状の第四級アンモニウムカチオン性界面活性剤を有する水性アルカリ性組成物を含む。第二の部分即ち展開剤は、約２−約６好ましくは２．５−４．５のｐＨを有する水性組成物である。それは、過酸化物酸化剤、並びにローション及び展開剤の混合で溶解する少なくとも１種の実質的に水不溶性のアニオン性アクリル重合体を含む。
　本発明の組成物の水性の第一の部分即ちローションの成分は、水、酸化可能な染料プレカーサー、両性界面活性剤及び１個の長鎖アルキル置換基を有する単量体状の第四級アンモニウムカチオン性界面活性剤を含む。
　組成物の水含量は、少なくとも約７０重量％であり、約９５％又はそれ以上でもよい。
　他に特定されていないならば、本発明の組成物中の種々の成分の量は、全重量に基づく重量％である。
　両性界面活性剤は、同じ分子中に正及び負の電荷を有し、さらに媒体のｐＨに応じてカチオン又はアニオンとして働く界面活性化学品のカテゴリーに属する。一般に、正の電荷は、窒素原子に位置し、一方負の電荷は、カルボキシル又はスルホネート基により有する。本発明で使用するのに好適な多数の両性界面活性剤が存在する。それらは、例えば、上記の最初の３件の特許に同定されたアスパラギン誘導体、並びに種々の周知のベタイン、サルテイン、グリシネート及びプロピオネートを含み、それらは、以下の構造式により示される。
　１．ベタイン
　【０００８】
　【化１】
　【０００９】
２．サルテイン
　【００１０】
　【化２】
　【００１１】
３．プロピオネート
　【００１２】
　【化３】
　【００１３】
４．グリシネート
　【００１４】
　【化４】
　【００１５】
　式中、Ｒは、約１０−約２０個の炭素原子を含むアルキル又はアルキルアミド基であり、Ｒ１、Ｒ２及びＲ３は、同一又は異なるアルキル又はヒドロキシアルキル基でありそして約５個までの炭素原子を含み、そしてｎは約５までの正の整数である。
　本発明で使用するのに好適な代表的な両性界面活性剤は、以下のものを含む。ラウリルベタイン、ラウロアムホグリシネート、ラウロアムホプロピルスルホネート、ラウロアムホプロピオネート、ラウロアムホカルボキシグリシネート、ラウリルサルテン、ミリストアミドプロピルベタイン、ミリスチルベタイン、ミリストアムホグリシネート、ミリスチルプロピオネート、ステアロアムホグリシネート、ステアロアムホプロピオネート、ステアロアムホプロピルスルホネート、ステアリルベタイン、コカアミドエチルベタイン、コカアミドプロピルベタイン、コカアミドプロピルヒドロキシサルタン、コカアミドプロピルジメチルアミンプロピオネート、ココアムホグリシネート、コカアムホカルボキシプロピオネート、コカアムホカルボキシグリシネート、ココベタイン、ココアムホプロピオネート、ココアムホプロピルスルホネート。
　本発明で使用される両性界面活性剤又は界面活性剤の混合物の選択は、厳密を要しない。それらは、上記のものの中から、又は多数の他の周知の両性界面活性剤の任意のものから選択できる。組成物中の両性界面活性剤の量は、通常約０．５重量％−約１５重量％、好ましくは２重量％−８重量％である。
　本発明で現在使用するのが好ましい両性界面活性剤は、以下のものである。コカアミドプロピルベタイン、ココベタイン、ステアリルベタイン、ココアムホカルボキシグリシネート、ココアムホジプロピオネート、及びステアロアムホグリシネート。
　本発明のローションのｐＨは、一般に、約７−約１１であろう。しかし、このｐＨが７．５−９．５の範囲内にあることが好ましい。
　【００１６】
　任意の広い範囲のアルカリ性試薬が使用されて、毛染組成物のｐＨを調節できる。水酸化アンモニウムは、広い範囲の濃度範囲にわたるその毒性のなさ及びその経済性から、許容できるアルカリ化剤である。しかし、水酸化アンモニウムの代りに又はそれとともに、任意の他の一緒に使用できるアンモニア誘導体例えばアルキルアミン例えばエチルアミン又はトリエチルアミン、又はアルカノールアミン例えばエタノールアミン、ジエタノールアミン、アミノメチルプロパノール、アミノメチルプロパンジオール及びトリスヒドロキシメチルアミノメタンをアルカリ化剤として使用できる。同様に、任意の他の有機又は無機のアルカリ化剤例えば水酸化ナトリウム又は水酸化カリウム、炭酸ナトリウム又は炭酸カリウム、燐酸ナトリウム、燐酸水素ナトリウム、珪酸ナトリウム、グアニジンヒドロキシドなども使用できる。好ましいアルカリ化剤は、水酸化アンモニウム、炭酸ナトリウム及びエタノールアミンである。
　上記の試薬とともに、選択されたｐＨは、一般に、もしローションが約０．１−５重量％のアルカリ性試薬を含むならば、達成できる。
　本発明の実施に使用される酸化性染料プレカーサーは、１種以上のカプラーとともに１種以上の一次中間体を含む。特定の中間体又はカプラーの選択は、処理された毛の最終の色を決定する。この選択は、本発明の実施の必須の態様ではない。
　種々の一次中間体が本発明に使用でき、例えば以下のものを含む。
　以下の式
　【００１７】
　【化５】
　【００１８】
（式中、Ｒ１及びＲ２は、同一又は異なり、水素、Ｃ１−Ｃ６低級アルキル基、１個以上のヒドロキシ基或はメトキシ、メチルスルホニルアミノ又はアミノカルボニル基により置換されたＣ１−Ｃ６アルキル基、フルフリル基、又はアミノ基により置換されていてもよいフェニル基であり、Ｒ３及びＲ６は、互いに独立して、水素、Ｃ１−Ｃ６低級アルコキシ基、ハロゲン原子例えば塩素原子、Ｃ１−Ｃ６低級アルキル基、又は１個以上のヒドロキシ基により置換されたＣ１−Ｃ６低級アルキル基であり、そしてＲ４及びＲ５は、互いに独立して、水素、Ｃ１−Ｃ６低級アルコキシ基、Ｃ１−Ｃ６低級アルキル基、又はハロゲン原子例えば塩素である）に対応するパラフェニレンジアミン、さらに無機又は有機の酸とのそれらの塩、フェニル基がＣ１−Ｃ６アルキル基により置換されていてもよいＯＨ又はアミノ基によりパラ位で置換されているＮ、Ｎ１−ジフェニルアルキレンジアミン（アルキレン基により結合しているアミノ基がＣ１−Ｃ６アルキル、Ｃ１−Ｃ６ヒドロキシアルキル又はＣ１−Ｃ６アミノアルキルにより置換されることが可能である）、パラ−アミノフェノール、オルト−アミノフェノール、オルト−フェニレンジアミン、及び複素環式酸化塩基。
　上記の式の有用な化合物の中で、ｐ−フェニレンジアミン、２−メチル−パラフェニレンジアミン、２−メトキシ−パラフェニレンジアミン、２−クロロ−Ｎ−メチル−パラフェニレンジアミン、Ｎ−フルフリル−パラフェニレンジアミン、３−メトキシ−Ｎ１−メチル−パラフェニレンジアミン、２−クロロ−パラフェニレンジアミン、Ｎ−メチル−パラフェニレンジアミン、２、３−ジメチル−パラフェニレンジアミン、５−クロロ−Ｎ１−メチル−ｐ−フェニレンジアミン、５−メチル−Ｎ１、Ｎ１−ジメチル−ｐ−フェニレンジアミン、５−メチル−Ｎ１−エチル−Ｎ１−（アミノ−カルボニル−メチル）−ｐ−フェニレンジアミン、５−メチル−Ｎ１−エチル−Ｎ１−エチルスルホニルアミノエチル−ｐ−フェニレンジアミン、Ｎ−（２−メトキシエチル）−ｐ−フェニレンジアミン、２、６−ジメチル−ｐ−フェニレンジアミン、Ｎ、Ｎ−ビス（２−ヒドロキシエチル）−ｐ−フェニレンジアミンが挙げられる。Ｎ、Ｎ１−ジフェニルアルキレンジアミンは、例えばＮ、Ｎ１−ビス−（２−ヒドロキシエチル）−Ｎ、Ｎ１−ビス（ｐ−アミノフェニル）エチレンジアミンを含む。酸とのそれらの塩例えば一塩酸塩、二塩酸塩又は硫酸塩も好適である。
　【００１９】
　本発明により使用可能なｐ−アミノフェノールの内、ｐ−アミノフェノール、２−メチル−ｐ−アミノフェノール、３−メチル−ｐ−アミノフェノール、２、３−ジメチル−ｐ−アミノフェノール、２、６−ジメチル−ｐ−アミノフェノール、３−メトキシ−ｐ−アミノフェノール、２−クロロ−ｐ−アミノフェノール、Ｎ−メチル−ｐ−アミノフェノール、及び３−（メチルチオ）−ｐ−アミノフェノールが挙げられ、その中でｐ−アミノフェノールが好ましい。
　オルト塩基の中で、オルト−アミノフェノール、５−クロロ−オルトアミノフェノール及びオルト−フェニレンジアミンが、本発明によりさらに特に選ばれる。
　複素環式塩基の中で、本発明により、２、３−ジアミノ−６−メトキシピリジン及び２−（２−ヒドロキシエチル）アミノ−５−アミノピリジン並びにそれらの塩を使用するのが好ましく、さらに特に、３、６−ジアミノピリジン、２、６−ジメトキシ−３−アミノピリジン、２−メチルアミノ−３−アミノ−６−メトキシピリジン、２、５−ジアミノピリジン、２−（Ｎ−ヒドロキシエチル）アミノ−５−アミノピリジン、並びに２−（Ｎ、Ｎ−ビスヒドロキシエチル）アミノ−５−アミノピリジンを使用するのが好ましい。
　さらに特に好ましい一次中間体は、ｐ−フェニレンジアミン、２−メチル−ｐ−フェニレンジアミン、Ｎ−（２−メトキシエチル）−ｐ−フェニレンジアミン、Ｎ、Ｎ−ビス（２−ヒドロキシエチル）−ｐ−フェニレンジアミン並びにｐ−アミソフェノールである。
　カプラー又は色修飾剤の中で、特に式
　【００２０】
　【化６】
　【００２１】
（式中、Ｒ１は、ヒドロキシ又は１個以上のＣ１−Ｃ６ヒドロキシアルキル基により置換できるアミノ基を示し、Ｒ３及びＲ５は、互いに独立して、水素、ヒドロキシ基、Ｃ１−Ｃ６低級ヒドロキシアルキル基又はＣ１−Ｃ６低級アルキル基により任意に置換されてもよいアミノ基を示し、そしてＲ２、Ｒ４及びＲ６は、水素原子又はＣ１−Ｃ６アルコキシ基、ヒドロキシアルコキシ基又はＣ１−Ｃ６低級アルキル基を示し、Ｒ３及びＲ４が一緒になってメチレンジオキシ基を形成することもできる）に対応する化合物が挙げられる。
　好適なカプラーの中で、２−メトキシ−５−アミノフェノール、２−メトキシ−５−［Ｎ−（２−ヒドロキシエチル）アミノ］フェニル、１、３−ジアミノ−２、６−ジメトキシベンゼン、２−メトキシ−１−（Ｎ−メチルアミノ）−４−（２−ヒドロキシエトキシ）−３−アミノベンゼン、１、３−ジアミノ−６−メトキシベンゼン、１、３−ジアミノ−４、６−ジメトキシベンゼン、４、６−ジメトキシ−１、３−ビス［Ｎ−（２−ヒドロキシエチル）アミノ］ベンゼン、２、６−ジメトキシ−３−［Ｎ−（２−ヒドロキシエチル）アミノ］−１−アミノベンゼン、２、４−ジメトキシ−３−［Ｎ−（２−ヒドロキシエチル）アミノ］フェノール、１、３−ビス［Ｎ−（２−ヒドロキシエチル）アミノ］−４−メトキシベンゼン、３−アミノ−４−メトキシフェノール、３、４−メチレンジオキシ−１−アミノベンゼン、２、６−ジメチル−３−［Ｎ−（２−ヒドロキシエチル）アミノ］フェノール、２、６−ジメチル−３−アミノフェノール、４−エトキシ−１−アミノ−３−［Ｎ、Ｎ−ビス（２−ヒドロキシエチル）アミノ］ベンゼン、（２、４−ジアミノフェノキシ）エタノール、（２−アミノ−Ｎ−メチル−４−アミノフェノキシ）エタノール、１−メトキシ−２−［Ｎ−（２−ヒドロキシエチル）アミノ］−４−アミノベンゼン、３、４−メチレンジオキシ−６−メトキシフェノール、３−アミノ−６−メチルフェノール、３、４−メチレンジオキシ−６−メトキシアミノベンゼン、３−アミノフェノール、１、３−ジヒドロキシベンゼン−４−（ヒドロキシエトキシ）−１、３−フェニレンジアミン、４、６−（ジヒドロキシエトキシ）−１、３−フェニレンジアミン、並びに１、３−フェニレンジアミンが挙げられる。
　【００２２】
　他の好適なカプラーは、６−アミノベンゾモルホリン、１−アミン−７−ナフトール、６−ヒドロキシベンゾモルホリン、１−ナフトール、１、３−ジヒドロキシナフタレン及び１、２−ジヒドロキシベンゼンである。複素環式カプラーの中で、２、６−ジヒドロキシピリジン、２、６−ジアミノピリジン、２−アミノ−４−ヒドロキシピリジン、２−ヒドロキシ−４−アミノピリジン、２−ヒドロキシ−５−アミノピリジン、２−アミノ−６−ヒドロキシピリジンなどが挙げられる。又、２、６−ジアミノアルキルピリジンの他の誘導体が含まれ、その場合、１個又は両者のアミノ基のアミノ窒素は、Ｃ１−Ｃ６アルキル基例えばメチル、プロピル、イソプロピル、ブチル、イソ或はｓｅｃ−ブチル、ペンチル、ｓｅｃ−ペンチル、ネオペンチル、ｔ−ブチル、ヘキシル、３−メチルペンチル又は４−メチルペンチル基によりモノ−又はジ−置換されている。アミノ−４−ヒドロキシ−又は２−ヒドロキシ−４−アミノ−ピリジンの何れかのアミノ基は、又窒素原子上でモノ−又はジ−Ｃ１−Ｃ６アルキルを有することができる。
　２、６−アミノ−又は４−アミノ−２−ヒドロキシ−又は２−アミノ−４−ヒドロキシピリジンの窒素は、又１−６個の炭素の長さのアルコキシ置換基により１個又は２個の何れかで誘導体化され、特に、２−ヒドロキシエチル、３−ヒドロキシプロピル、４−ヒドロキシブチル、５−ヒドロキシペンチル、６−ヒドロキシヘキシル、２−ヒドロキシプロピル、２−ヒドロキシブチル、２−ヒドロキシペンチル、２−ヒドロキシヘキシル、３−ヒドロキシブチル、３−ヒドロキシペンチル、２−ヒドロキシヘキシル、４−ヒドロキシペンチル及び５−ヒドロキシペンチル基が挙げられる。
　ベンゼンのトリヒドロキシル化誘導体の中で、１、２、４−トリヒドロキシベンゼン、アルキル基がＣ１−Ｃ６低級アルキル基である１、２、４−トリヒドロキシ−５−アルキルベンゼン並びに１、２、３−トリヒドロキシベンゼン及びそれらの塩が挙げられる。
　ジアミノヒドロキシベンゼンの中で、２、４−ジアミノフェノール及び２、５−ジアミノ−４−メトキシ−１−ヒドロキシベンゼン並びにそれらの塩が挙げられる。
　アミノジヒドロキシベンゼンの中で、２−アミノ−１、４−ジヒドロキシベンゼン、１、４−ジヒドロキシ−４−ジエチルアミノベンゼン及び４−アミノレゾルシノール並びにそれらの塩が挙げられる。
　【００２３】
　置換された１、２−ジヒドロキシベンゼンの中で、４−メチル−１、２−ジヒドロキシベンゼン及び３−メトキシ−１、２−ジヒドロキシベンゼンが特に好ましい。
　アミノヒドロキシベンゼンは、特に、２−アミノ−４−メトキシフェノール、２−アミノフェノール、４、６−ジメトキシ−３−アミノヒドロキシベンゼン及び２、６−ジメチル−４−［Ｎ−（ｐ−ヒドロキシフェニル）アミノ］−１−ヒドロキシベンゼン並びにそれらの塩から選ばれる。
　トリアミノベンゼンにより、１、５−ジアミノ−２−メチル−４−［Ｎ−（ｐ−ヒドロキシフェニル）アミノ］ベンゼン及びその塩が挙げられる。
　又、カプラーとして好適なのは、Ｎ−アセチルドーパである。
　以下に、本発明に使用される好ましい一次中間体及びカプラーのあるものを示す。一次中間体として、ｐ−フェニレンジアミン、ｐ−アミノフェノール、ｏ−アミノフェノール、Ｎ、Ｎ−ビス（２−ヒドロキシエチル）−ｐ−フェニレンジアミン、２、５−ジアミノピリジン、ｐ−トルエンジアミン。カプラーとして、レゾルシノール、１−ナフトール、５−アミノ−ｏ−クレゾール、２−メチルレゾルシノール、Ｎ−アセチルドーパ、４、６−ジ（ヒドロキシエトキシ）−ｍ−フェニレンジアミン、ｍ−フェニレンジアミン。
　本発明の水性ローション中の１種以上の一次中間体及び１種以上のカプラーは、通常、それぞれ約０．０００５−約５重量％好ましくは０．００５−２．５重量％の濃度で、等モルの量で使用されるだろう。
　組成物のローションの部分で使用される第四級アンモニウム塩は、式
　【００２４】
　【化７】
　【００２５】
（式中、Ｒ１、Ｒ２及びＲ３は、同一又は異なり、ベンジル又は１−６個の炭素原子を含む低級アルキル基を表し、Ｒ４は、約１２−約２２個の炭素原子を含む長鎖アルキル基を表し、そしてＸはアニオン通常ハライド好ましくは塩素である）のそれらを含む任意の多数の周知の単量体状の塩から選択できる。この群の化合物の代表例は、セチルトリメチルアンモニウムブロミド及びクロリド、ベンジルドコシルジメチルアンモニウムクロリド（ベヘンアルコニウムクロリド）、Ｎ、Ｎ、Ｎ−トリメチル−１−ドコサンアンモニウムクロリド（べヘントリモニウムクロリド）、セチルジメチルベンジルアンモニウムクロリド（セタアルコニウムクロリド）、及びステアリルトリメチルアンモニウムクロリド（ステアルトリモニウムクロリド）を含み、これらの全ては周知の化合物である。
　本発明のローションで使用される単量体状の第四級アンモニウム化合物は、毛染に使用される条件下で、それらはヒトの毛に通常存在するアニオン性電荷を中和し勝ちであるので、界面活性剤としてのみならず、毛のコンディショナーとして機能する。化合物は、従って毛のコンディショニングに二つの重要な貢献をする。一つは、それらがケラチンのアニオン性電荷を中和することである。他のものは、長鎖アルキル基の存在が毛の滑らかさを改善することである。コンディションされた毛は、湿っている間解きほどくのが容易である。それは、滑らかさを感じさせ、そして乾燥している間容易に処理される。
　本発明に使用されるのに適した特定の第四級アンモニウム化合物は、セチルトリメチルアンモニウムクロリド、セテチルジモニウムブロミド、セトリモニウムトシレート、べヘンアルコニウムクロリド、ベヘントリモニウムクロリド、セトアルコニウムクロリド、ステアルアルコニウムクロリド、ステアルトリモニウムクロリド、ドデシルジメチルエチルベンジルアンモニウムクロリド、ミリスタアルコニウムクロリド及びミリスタアルコニウムブロミドである。
　本発明で使用する現在好ましい第四級アンモニウム化合物は、べヘントリモニウムクロリド、セトリモニウムクロリド、及びステアルアルコニウムクロリドである。
　【００２６】
　本発明のローションにおける第四級アンモニウム化合物の濃度は、約０．１−約５．０重量％、好ましくは０．５−２．０重量％である。
　本発明の完全に処方されたローションの粘度は、展開剤と混合しようとするとき、約１−５０００ｃｐｓ、好ましくは１−５００ｃｐｓである。
　ローションは、染料プレカーサーを溶解するのを助けるために有機溶媒を含むことができる。しかし、本発明の組成物中では、有機溶媒の含量は最低に保たねばならないことが観察された。プレカーサーを溶解するのに必要なのより多い溶媒は、反応のために毛中にプレカーサーの拡散を遅らせる効果を有する。従って、ローションの有機溶媒の含量は、０−約５重量％であろう。
　代表的に有用な溶媒は、３個までの炭素原子を含むアルコール例えばエタノール及びイソプロパノール、ポリヒドロキシアルコール例えばプロピレン又はヘキシレングリコール並びにそれらの低級アルキルエーテル例えばエトキシエーテルを含む。
　毛染組成物にしばしば使用される他の従来の剤は、ローション又は展開剤に使用できる。これらは、例えば、香料、着色剤及びキーレート剤を含む。抗酸化剤例えば亜硫酸ナトリウム、エリソルビン酸及びアルコルビン酸も早期の酸化を阻害するために含まれることができる。
　本発明で使用される酸化組成物又は展開剤は、水に不溶の１種以上のアニオン性重合体とともに選択された酸化剤を含む酸性の水性組成物である。
　本発明の展開剤に使用して好ましい酸化剤は、他の過酸化物も使用できるが、過酸化水素である。これらは、例えば、過酸化尿素、過酸化メラミン、過硼酸塩及び過炭酸塩例えば過硼酸ナトリウム又は過炭酸ナトリウムを含む。展開剤中の過酸化物の濃度は、約０．５−約４０重量％、好ましくは０．５−３０重量％であろう。もし好ましい過酸化水素が使用されるならば、濃度は、約０．５−約１．２重量％、好ましくは３−９重量％であろう。
　【００２７】
　本発明の実施の重要な態様は、展開剤に使用されるアニオン性重合体の選択である。上述したように、或るアクリレート重合体を含む或るアニオン性重合体は、コンプレックスを形成することにより第四級アンモニウム化合物を不活性化し勝ちである。
　しかし、水に不溶であり、過酸化物に安定でありさらにここで使用される第四級アンモニウム化合物とコンプレックスを作らず沈澱しない或るアニオン性重合体が存在する。それらは、当業者に容易に明らかな二三の簡単なテストにより容易に沈澱同定される。好適なアニオン性重合体は、アクリル酸及びメタクリル酸、これらの酸の低級アルキルエステルからの形成される共重合体、並びにアクリルアミド又はメタクリルアミドを含む共重合体を含む。本発明で展開剤に使用される水不溶性アニオン性重合体は、これらのアクリル重合体と長鎖脂肪アルコールのポリアルキレングリコールエーテル、例えばアクリル重合体とステアリルアルコールのポリエチレングリコールエーテル例えば式ＣＨ３（ＣＨ２）１６ＣＨ２（ＯＣＨ２ＣＨ２）ｎＯＨ（式中、ｎは２０の平均値を有する）により示されるステアルエト−２０、とのエステルである。
　ステアリルアルコールの同族体例えばセチル及びアラカジルアルコール又はこれらアルコールセグメントの混合物例えばセタアルス−２０（セチル及びステアリルアルコールの混合物に基づく）を含むアニオン性重合体も使用できる。
　現在好ましいアニオン性重合体は、Ａｃｕｌｙｎ２２及びＡｃｕｌｙｎ３３の商品名でＲｏｈｍ　ａｎｄ　Ｈａｓｓ、Ｐｈｉｌａｄｅｌｐｈｉａ、Ｐａから入手できるアルカリ可溶重合体である。前者は、アクリル酸又はメタクリル酸又はそれらの低級アルキルエステルから形成された共重合体のステアルス−２０エステルであると考えられる。これらの好ましい共重合体は、別々に又は一緒に任意の選択された割合で使用できる。
　展開剤中のアニオン性重合体の濃度は、約０．１−約２０重量％、好ましくは０．５−１０重量％である。
　展開剤は、又０−約０．２重量％の安定剤例えばフェナセチン又はエチレンジアミン四酢酸（ＥＤＴＡ）を含むことができる。
　展開剤の粘度は、ローションとの混合のために製造されるとき、約１−約５０００ｃｐｓ、好ましくは、１−５００ｃｐｓである。
　ローション及び展開剤の粘度は互いに近いことが望ましいが、必須ではない。もし粘度における差が余りに大きいと、それらは混合するのが困難である。振り混ぜると、薄い溶液はよく攪拌されるが、濃い成分は、攪拌するのがより困難であり、ブレンドの速度は、遅くなる。
　【００２８】
　展開剤のｐＨは、約２−約６、好ましくは２．５−４．５である。任意の種々の非毒性の酸又は緩衝剤が、ｐＨを維持するのに使用できる。燐酸は、最も好ましい。
　ローション及び展開剤は、毛への適用の直前に混合される。毛では、それらは、滴り又は流去なしに、完全な染色期間中毛の上に留まるに十分なコンシステンシー及びボディーを有する安定なゲルを形成する。一次中間体及びカプラー即ち染料プレカーサーは、酸化剤とともに毛中に急速に拡散する。染料は、毛の繊維の内に形成し、そしてそれらが大きな分子であるので、色の変化が永久的であるように毛中に留まる。用語「永久的」は、染料が通常のシャンプーにより毛から容易に洗い出されないことを意味する。本発明の製品により達成された色は、安定なので、それは認めうる変化なしに約２０回のシャンプーに耐えることができる。
　染色の期間の終に、組成物は、通常の水の濯ぎそしてシャンプーにより毛から洗われる。
　本発明の組成物は、染色の方法を開始するために、職業人又は個人の何れかの使用者により混合できるキット又はパッケージの形で別々に提供できる。使用者の毛の上で直接混合することにより、ローション及び展開剤を組み合わすことが可能である。もしそれらが毛の上で混合されるならば、先ずローションを加えるのが好ましい。ゲルが形成するに従って、毛への次の適用のために混合容器中でそれらを混合するのが好ましい。
　【００２９】
　本発明により提供されるキットは、これらの容器よりなる。最も好都合な形では、二つの容器があり、一つは、ローションを含み、他は展開剤を含む。一つが酸化剤を含み他が水中のアニオン性重合体を含む別々の容器に展開剤を包装するのが好都合である。本発明の両方の態様により、第一の容器中の水性組成物中の成分は、全て上記の量で、染料プレカーサー、両性界面活性剤、第四級アンモニウム化合物及びアルカリ性剤を含む。
　本発明の方法は、染められるべき毛に混合物を適用し、そして所望の色が達成されるまで毛と接触させたままにし、その後組成物を上記のように毛から取り去ることよりなる。
　【００３０】
　【実施例】
　以下の限定されない実施例は、説明のためにのみ与えられる。
実施例　１−４０
　以下のローション及び展開剤は、別々の成分を混合することにより製造される。これらの８種のローションが任意の５種の展開剤と別々に混合されるとき、４０種の異なるゲル化毛染組成物が製造され、毛に適用され、そして指の操作により毛中に十分に配合されるとき、ヒトの毛を染める。
　【００３１】
　【表１】